(57)【特許請求の範囲】
【請求項１】
無線ユーザ端末（ＵＥ）機器のためのセル測定を実行する方法であって、
前記ＵＥ機器が、
セルに対する参照シンボルベクトルであって、当該参照シンボルベクトルの個別の要素のそれぞれが、個別の参照シンボルを運ぶ前記セルの個別のサブキャリアを構成する、前記参照シンボルベクトルを定め、
前記参照シンボルベクトルの個別の要素のそれぞれにおけるチャネル推定を実行し、
前記参照シンボルベクトルの異なる要素のチャネル推定値の相互相関をとることにより、前記セルのセル強度を第１の方法で推定する、
ことを特徴とする方法。
【請求項２】
前記参照シンボルベクトルの個別の要素におけるチャネル推定の実行は、前記要素の前記個別のサブキャリアで受信された信号に、前記個別のサブキャリアで運ばれる前記個別の参照シンボルの共役を乗じることを含む、
ことを特徴とする請求項１に記載の方法。
【請求項３】
前記参照シンボルベクトルは、前記セルのサブフレームの、複数のＯＦＤＭシンボルに含まれたサブキャリアに対応する要素を含む、
ことを特徴とする請求項１に記載の方法。
【請求項４】
前記セルは、非ライセンス周波数帯域におけるチャネル上のものである、
ことを特徴とする請求項１に記載の方法。
【請求項５】
複数のセルのそれぞれに対する個別の参照シンボルベクトルの異なる要素のチャネル推定値の相互相関をとることにより、複数のセルのそれぞれのセル強度を前記第１の方法で推定することをさらに含む、
ことを特徴とする請求項１に記載の方法。
【請求項６】
前記参照シンボルベクトルの要素のチャネル推定値の自己相関を取ることにより、第２の方法で前記セルの前記セル強度を推定することをさらに含む、
ことを特徴とする請求項１に記載の方法。
【請求項７】
前記第１の方法で推定された前記セルの前記セル強度と、前記第２の方法で推定された前記セルの前記セル強度との差を前記ＵＥ機器のサービングセルへ報告することをさらに含む、
ことを特徴とする請求項６に記載の方法。
【請求項８】
前記セルはＬＴＥに従って動作し、前記セル強度の推定値は前記セルのＲＳＲＰの推定値である、
ことを特徴とする請求項１に記載の方法。
【請求項９】
前記参照シンボルベクトルの異なる要素のチャネル推定値の相互相関を取ることは、前記第１の方法で推定された前記セル強度から、チャネル間で相関していない干渉と雑音との少なくともいずれかをキャンセルすることを通じて、干渉と雑音との少なくともいずれかの効果を減らすように構成される、
ことを特徴とする請求項１に記載の方法。
【請求項１０】
無線ユーザ端末（ＵＥ）機器であって、
無線器と、
前記無線器と動作可能に接続される処理要素とを含み、
前記無線器および前記処理要素は、
第１のセルのセル強度を計算し、
前記第１のセルの計算された前記セル強度の表示を前記ＵＥ機器のサービングセルへ提供する、
ように構成され、
前記第１のセルの前記セル強度は、前記第１のセルの異なる参照シンボルサブキャリアのチャネル推定値の相互相関を取ることに、少なくとも部分的に、よって、計算される、
ことを特徴とするＵＥ機器。
【請求項１１】
前記無線器および前記処理要素は、さらに、前記第１のセルに対する参照シンボルベクトルを定めるように構成され、
前記参照シンボルベクトルの個別の要素のそれぞれは、個別の参照シンボルを運ぶ前記セルの個別のサブキャリアを構成し、
前記第１のセルの異なる参照シンボルサブキャリアのチャネル推定値の相互相関を取ることは、前記参照シンボルベクトルの要素のチャネル推定値を相互に相互相関をとることを含む、
ことを特徴とする請求項１０に記載のＵＥ機器。
【請求項１２】
前記無線器および前記処理要素は、前記第１のセルの前記セル強度を計算するために、さらに、
前記第１のセルおよび前記ＵＥの送信及び受信アンテナの数に基づいて、パスごとにセル強度の部分計算を実行し、
前記パスごとのセル強度の部分計算を平均化して、平均セル強度推定値を生成する、
ように構成されることを特徴とする請求項１０に記載のＵＥ機器。
【請求項１３】
前記パスごとのセル強度の部分計算は線形の方法で平均化される、
ことを特徴とする請求項１２に記載のＵＥ機器。
【請求項１４】
前記パスごとのセル強度の部分計算は重み付けの方法で平均化される、
ことを特徴とする請求項１２に記載のＵＥ機器。
【請求項１５】
前記無線器および前記処理要素は、さらに、異なる時刻において実行されたセル強度の部分計算の時間領域の平均化を実行して、前記第１のセルの前記セル強度を計算するように構成される、
ことを特徴とする請求項１０に記載のＵＥ機器。
【請求項１６】
前記時間領域の平均化は、指数時間ウィンドウを用いて実行される、
ことを特徴とする請求項１５に記載のＵＥ機器。
【請求項１７】
プログラム命令を含むコンピュータプログラムであって、
前記プログラム命令は、機器において実行されるときに、当該機器に、
参照シンボルベクトルであって、前記参照シンボルベクトルの個別の要素のそれぞれが個別の参照シンボルを運ぶセルの個別のサブキャリアに対応する、前記参照シンボルベクトルを定めさせ、
前記参照シンボルベクトルの別個の要素のそれぞれにおけるチャネル推定を実行させ、
前記参照シンボルベクトルの異なる要素のチャネル推定値の相互相関を取ることによって、第１の方法で前記セルのセル強度を推定させ、
前記第１の方法で推定された前記セルの前記セル強度の表示を前記機器のサービングセルに提供させる、
ことを特徴とするコンピュータプログラム。
【請求項１８】
前記セルは、非ライセンス周波数帯域におけるチャネルに配置され、
前記セルのセル強度は、非ライセンス周波数帯域におけるチャネルに配置されている前記セルに少なくとも部分的に基づいて、前記第１の方法で推定される、
ことを特徴とする請求項１７に記載のコンピュータプログラム。
【請求項１９】
前記プログラム命令は、前記機器において実行されるときに、さらに、当該機器に、
前記セルの前記セル強度を第２の方法で推定させ、
前記第２の方法で推定された前記セルの前記セル強度の表示を、前記機器の前記サービングセルへ送信させる、
ことを特徴とする請求項１７に記載のコンピュータプログラム。
【請求項２０】
前記セルはＬＴＥに従って動作し、
前記参照シンボルベクトルは、前記セルのＯＦＤＭシンボル０及び４に少なくとも含まれる参照シンボルサブキャリアに対応する要素を含む、
ことを特徴とする請求項１７に記載のコンピュータプログラム。
【発明の詳細な説明】
【技術分野】
【０００１】
本出願は、２０１４年４月４日に出願された、「非ライセンス周波数帯域におけるセル測定」と題した米国仮特許出願第６１／９７５１１６号の優先権を主張するものであり、これにより、十分かつ完全に説明されたようにその全体が参照として組入れられる。
【０００２】
本出願は、干渉が存在し得るチャネルにおいてセル測定を実行するための、装置を含む無線通信システム、システム及び方法に関する。
【背景技術】
【０００３】
無線通信システムの利用が急速に広がっている。さらに、数多くの異なる無線通信技術及び標準が存在する。無線通信標準の例は、その一部として、ＧＳＭ（登録商標）、（例えばＷＣＤＭＡ（登録商標）又はＴＤ−ＳＣＤＭＡエアインタフェースに関連する）ＵＭＴＳ、ＬＴＥ、ＬＴＥアドバンスド（ＬＴＥ−Ａ）、ＨＳＰＡ、３ＧＰＰ２のＣＤＭＡ２０００（例えば、１ｘＲＴＴ、１ｘＥＶ−ＤＯ、ＨＲＰＤ、ｅＨＲＰＤ）、ＩＥＥＥ８０２．１１（ＷＬＡＮ又はＷｉ−Ｆｉ（登録商標））、ＩＥＥＥ８０２．１６（ＷｉＭＡＸ）、Ｂｌｕｅｔｏｏｔｈ（登録商標）及びその他を含む。
【０００４】
所定のセルラ通信ネットワークなどのいくつかの無線通信システムでは、ライセンスされている周波数帯域で、（例えばセルラネットワークプロバイダによって）無線通信が実行される。さらに、Ｗｉ−Ｆｉ（登録商標）及びＢｌｕｅｔｏｏｔｈ（登録商標）の無線通信システムなどのいくつかの無線通信システムでは、２．４ＧＨｚのＩＳＭ周波数帯域などの非ライセンス周波数帯域で無線通信が実行される。
【発明の概要】
【発明が解決しようとする課題】
【０００５】
実質的な干渉が起こり得る非ライセンス周波数帯域とチャネルとの少なくともいずれかにおいてセル測定を実行するための、装置、システム並びに方法の、及びその方法を実行するように構成される機器の実施形態がここで提示される。
【０００６】
実質的な干渉が起こり得る非ライセンス周波数帯域とチャネルとの少なくともいずれかにおいてセル測定を実行するための、装置、システム並びに方法の、及びその方法を実行するように構成される機器の実施形態がここで提示される。
【０００７】
セルラネットワークが制御する周波数帯域（例えばライセンス帯域）が相対的にほとんど外部干渉に支配されないかもしれない一方で、非ライセンス帯域は、様々な想定されるソースの中で他の無線通信技術からの干渉に支配されうる。例えば、Ｂｌｕｅｔｏｏｔｈ（登録商標）と、Ｗｉ−Ｆｉ（登録商標）と、任意の様々な他の無線通信技術との少なくともいずれかが、２．４ＧＨｚ又は５ＧＨｚ周波数帯域などの産業科学医療（ＩＳＭ）周波数帯域において展開されうる。
【０００８】
セルラ通信ネットワークにおけるセルのセル強度を測定する１つの可能な方法は、そのセルの参照シンボルサブキャリアの自己相関をとることを含みうる。しかしながら、干渉電力と信号電力と（の少なくとも一部）を区別しえないため、本技術は、干渉が存在する場合にそのセルの強度を過大評価し得る。
【課題を解決するための手段】
【０００９】
したがって、セルラ通信ネットワークにおけるセルのセル強度を測定するための別の技術として、干渉の項目をキャンセルするために、セルの参照シンボルサブキャリアの相互相関を取ることが可能でありうる。例えば、無線機器は、セルの参照シンボルサブキャリアのベクトルを構成し得る。無線機器は、ベクトルの要素のそれぞれにおけるチャネル推定を実行し、その後、信号強度推定値を生成するために、それらのチャネル推定値を相互に相互相関をとり得る。
【００１０】
このような信号強度推定値は、その後無線機器のためのセル選択及び再選択手順を改善し得る、そのセルの信号強度のより正確な推定値を与えるために、その無線機器のサービングセルに提供されうる。いくつかの実施形態では、この方法で計算された信号強度推定値は、（例えば、任意の別の信号強度測定技術の代わりとして）スタンドアローンで提供されてもよい。もう１つの方法として、そのセルの参照シンボルサブキャリアの自己相関を取ることによるなどの、別の方法で生成された信号強度推定値と組み合わせて提供されうる。これは、これらのような技術を用いて計算された推定値の間の差が（少なくともいくつかの例において）そのセルに存在する干渉電力を表し得るため、いくつかの例において、セルに存在する干渉電力を推定するための技術として役立ちうる。
【００１１】
ここで開示される技術は、セルラ基地局、携帯電話、タブレットコンピュータ、ウェアラブル計算機器、ポータブルメディアプレイヤ、及び任意の他の計算機器を含むがそれに限定されない多くの様々な種類の装置において実装されるか、多くの様々な種類の装置と共に使用されるか、その両方であるかでありうる。
【００１２】
この要約は、本文献で説明される主題のいくつかの概要を与えることが意図されている。したがって、上述の特徴は単なる例であり、ここで開示される主題の範囲又は精神をいかなる方法においても狭めるように解釈されるべきではないことは明らかである。ここで説明される主題の他の特徴、態様、及び利点は、以下の詳細な説明、図面及び請求項から明らかになるだろう。
【図面の簡単な説明】
【００１３】
以下の実施形態の詳細な説明を以下の図面と併せて検討するとき、本主題のよりよい理解を得ることができる。
【図１】いくつかの実施形態による、例示の（及び単純化された）無線通信システムを示す図。
【図２】いくつかの実施形態による、ユーザ端末（ＵＥ）機器と通信する基地局（ＢＳ）を示す図。
【図３】いくつかの実施形態による、ＵＥの例示のブロック図。
【図４】いくつかの実施形態による、ＢＳの例示のブロック図。
【図５】いくつかの実施形態による、非ライセンス周波数帯域においてセル測定を実行する例示の方法を示すフローチャート図。
【図６】いくつかの実施形態による、１つのＲＳＲＰ測定技術による例示のＲＳＲＰ測定要素を示すブロック図。
【図７】いくつかの実施形態による、無線機器フロントエンドにおける可能なＲＦ測定ブロックを示すブロック図。
【図８】いくつかの実施形態による、様々な物理レイヤのセル測定の概念の要素を示す図。
【発明を実施するための形態】
【００１４】
ここで説明される特徴は、様々な変更及び別の形態の影響を受けやすいかもしれないが、その具体的な実施形態は、図面内の例によって示され、ここで詳細に説明される。しかしながら、図面及びそれに対する詳細な説明は、開示される特定の形式に限定することを意図するものではなく、それどころか、添付の請求項によって定められる主題の精神及び範囲内にある変形、等価物、及び選択肢の全てをカバーすることを意図していることが理解されるべきである。
【００１５】
用語
以下は、本開示で用いられる用語集である。
【００１６】
メモリ媒体−様々な種類の非一時的メモリ機器又は記憶機器のいずれか。用語「メモリ媒体」は、例えば、ＣＤ−ＲＯＭ、フロッピー（登録商標）ディスク、若しくはテープ機器であるインストール媒体、ＤＲＡＭ、ＤＤＲ  ＲＡＭ、ＳＲＡＭ、ＥＤＯ  ＲＡＭ、Ｒａｍｂｕｓ（登録商標）  ＲＡＭなどのコンピュータシステムメモリまたはランダムアクセスメモリ、フラッシュなどの不揮発性メモリ、例えば、ハードドライブである、磁気媒体、又は光学ストレージ、レジスタ、又は他の同様の種類のメモリ要素などを含むことが意図されている。メモリ媒体は、同様に他の種類の非一時的メモリまたはその組み合わせを含みうる。さらに、メモリ媒体は、プログラムが実行される第１のコンピュータシステムに置かれてもよく、インターネットなどのネットワークを介して第１のコンピュータシステムに接続する第２の別のコンピュータシステムに置かれてもよい。後者の例では、第２のコンピュータシステムは、実行のために、第１のコンピュータに対してプログラム命令を提供し得る。用語「メモリ媒体」は、異なる位置に、例えばネットワークを介して接続される異なるコンピュータシステムに、存在しうる、２つ以上のメモリ媒体を含んでもよい。メモリ媒体は、１つ以上のプロセッサによって実行されうる（例えばコンピュータプログラムとして具現化される）プログラム命令を記憶してもよい。
【００１７】
キャリア媒体−電気的な、電磁的な、又はデジタルの信号などの信号を運ぶ、上述のメモリ媒体、及び、バス、ネットワークまたは他の物理伝送媒体の少なくともいずれかなどの物理伝送媒体。
【００１８】
プログラム可能ハードウェア要素−プログラム可能な相互接続を介して接続される複数のプログラム可能な機能ブロックを有する、様々なハードウェア機器を含む。例として、ＦＰＧＡ（フィールドプログラマブルゲートアレイ）、ＰＬＤ（プログラマブルロジックデバイス）、ＦＰＯＡ（フィールドプログラマブルオブジェクトアレイ）、及びＣＰＬＤ（コンプレックスＰＬＤ）を含む。プログラム可能な機能ブロックは、細粒（組み合わせのロジックまたはルックアップテーブル）から粗粒（算術論理ユニットまたはプロセッサコア）へ及びうる。プログラム可能なハードウェア要素は、「リコンフィギュアラブルロジック」とも呼ばれうる。
【００１９】
コンピュータシステム−パーソナルコンピュータシステム（ＰＣ）、メインフレームコンピュータシステム、ワークステーション、ネットワークアプライアンス、インターネットアプライアンス、パーソナルデジタルアシスタント（ＰＤＡ）、テレビジョンシステム、グリッドコンピューティングシステム、又は他の機器若しくは機器の組み合わせを含む、様々な種類のコンピューティングシステム又は処理システムのいずれか。一般に、用語「コンピュータシステム」は、メモリ媒体からの命令を実行する少なくとも１つのプロセッサを有する機器（又は機器の組み合わせ）を含むように広く定義されうる。
【００２０】
ユーザ端末（ＵＥ）（又は「ＵＥ機器」）−移動体又は可搬型であり、無線通信を実行する様々な種類のコンピュータシステム機器のいずれか。ＵＥ機器の例は、携帯電話またはスマートフォン（例えば、ｉＰｈｏｎｅ（登録商標）、Ａｎｄｒｏｉｄ（登録商標）ベースの電話）、可搬型ゲーム機器（例えば、任天堂ＤＳ（登録商標）、プレイステーションポータブル（登録商標）、ゲームボーイアドバンス（登録商標）、ｉＰｈｏｎｅ（登録商標））、ウェアラブル機器（例えば、スマートウォッチ、スマートグラス）、ラップトップ、ＰＤＡ、可搬型インターネット機器、音楽プレイヤ、データ記憶機器、又は他のハンドヘルド機器などを含む。一般に、用語「ＵＥ」又は「ＵＥ機器」は、ユーザによって容易に運ばれると共に無線通信可能な、任意の電気機器と、計算機器と、電気通信機器との少なくともいずれか（又は機器の組み合わせ）を含むように広く定義されうる。
【００２１】
基地局−用語「基地局」は、全ての広さにおいてその通常の意味を有し、固定位置に設置されるとともに、無線電気通信システム又は無線システムの一部として、通信に用いられる無線通信局を少なくとも含む。
【００２２】
処理要素−様々な要素または要素の組み合わせを指す。処理要素は、例えば、ＡＳＩＣ（特定用途向け集積回路）などの回路、個別のプロセッサコアの一部または回路、全体のプロセッサコア、個別のプロセッサ、フィールドプログラマブルゲートアレイ（ＦＰＧＡ）などのプログラム可能なハードウェア機器と、複数のプロセッサを含むシステムの大きな部分を含む。
【００２３】
チャネル−送信者（送信器）から受信者へ情報を運ぶのに用いられる媒体。用語「チャネル」の特性は様々な無線プロトコルに応じて異なり得るため、ここで用いられる用語「チャネル」は、本用語が用いられる機器の種類の標準に関して、その標準に調和する方法で用いられていると見なされうることに留意すべきである。いくつかの標準では、チャネル幅は、（例えば機器能力、帯域状態などに応じて）可変でありうる。例えば、ＬＴＥは、１．４ＭＨｚから２０ＭＨｚまでのスケーラブルなチャネル帯域幅をサポートし得る。これに対して、ＷＬＡＮチャネルは、Ｂｌｕｅｔｏｏｔｈ（登録商標）チャネルが１ＭＨｚ幅でありうる一方で、２２ＭＨｚ幅でありうる。他のプロトコル及び標準は、様々なチャネルの定義を含みうる。さらに、いくつかの標準は、例えば、様々な上りリンクまたは下りリンクのためのチャネルと、データ、制御情報などのさまざまな使用のための様々なチャネルとの少なくともいずれかである、複数の種類のチャネルを定義し、使用し得る。
【００２４】
帯域−用語「帯域」は、その一般的な意味を全ての広さにおいて有し、少なくとも、チャネルが用いられ又は同一の目的のために設けられるスペクトル（例えば無線周波数スペクトル）の一部を含む。
【００２５】
自動的−コンピュータシステム（例えば、コンピュータシステムによって実行されるソフトウェア）又は機器（例えば、回路、プログラム可能なハードウェア要素、ＡＳＩＣなど）によって、動作又は操作を直接とくていし又は実行するユーザ入力なしに実行される、当該動作又は操作を指す。したがって、用語「自動的」は、ユーザが操作を直接実行するように入力を供給する、ユーザによって手動で実行され又は特定される操作と対照的である。自動手順はユーザによって供給される入力によって開始されてもよいが、「自動的」に実行されるその後の動作は、そのユーザによって特定されない、すなわち、ユーザが実行すべき各動作を特定する「手動」では実行されない。コンピュータシステムはユーザ動作に応じて用紙を更新しなければならないが、例えば、（例えば情報をタイピングすることにより、チェックボックスを選択することにより、無線器選択などにより）各フィールドを選択し情報を特定する入力を供給することにより電子用紙に書き入れるユーザは、手動でその用紙に書き入れる。その用紙は、コンピュータシステムによって自動的に書き入れられてもよく、そこでは、そのコンピュータシステム（例えば、コンピュータシステム上で実行するソフトウェア）は、用紙のフィールドを解析し、そのフィールドに対する回答を特定するいかなるユーザ入力もなく、その用紙を埋める。上記のように、ユーザは、その用紙の自動記入を起動し得るが、その用紙の実際の記入においては起動されない（例えば、ユーザはフィールドに対する回答を手動で特定しないが、むしろ、それらは自動的に完遂される）。本明細書は、ユーザが取った動作に応じて自動的に実行される様々な動作の例を提供する。
【００２６】
図１及び２−通信システム
図１は、いくつかの実施形態による、例示の（単純化された）無線通信システムを示している。なお、図１のシステムはとり得るシステムの単なる１つの例であり、実施形態は、要求に応じて、様々なシステムのいずれかにおいて実行されうる。
【００２７】
図のように、例示の無線通信システムは、伝送媒体を介して１つ以上のユーザ機器１０６Ａ、１０６Ｂ等から１０６Ｎまでと通信する基地局１０２Ａを含む。ユーザ機器のそれぞれは、ここでは、「ユーザ端末」（ＵＥ）とも呼ばれうる。したがって、ユーザ機器１０６は、ＵＥ又はＵＥ機器と呼ばれる。
【００２８】
基地局１０２Ａは、無線基地局装置（ＢＴＳ）又はセルサイトであってもよく、ＵＥ１０６Ａ〜１０６Ｎとの無線通信を可能とするハードウェアを含みうる。また、基地局１０２Ａは、ネットワーク１００（様々な可能性のうちの公衆交換電話網（ＰＳＴＮ）とインターネットとの少なくともいずれかなど電気通信ネットワークなどのセルラサービスプロバイダのコアネットワーク）と通信するための設備を備えうる。したがって、基地局１０２Ａは、ユーザ機器間と、ユーザ機器とネットワーク１００との間との少なくともいずれかにおける通信を促進し得る。
【００２９】
基地局の通信エリア（又はカバレッジエリア）は、「セル」とも呼ばれうる。基地局１０２Ａ及びＵＥ１０６は、無線通信技術とも呼ばれる様々な無線アクセス技術（ＲＡＴ）のいずれか、又はＧＳＭ（登録商標）、ＵＭＴＳ（ＷＣＤＭＡ（登録商標）、ＴＤ−ＳＣＤＭＡ）、ＬＴＥ、ＬＴＥアドバンスド（ＬＴＥ−Ａ）、３ＧＰＰ２のＣＤＭＡ２０００（例えば、１ｘＲＴＴ、１ｘＥＶ−ＤＯ、ＨＲＰＤ、ｅＨＲＰＤ）Ｗｉ−Ｆｉ（登録商標）、ＷｉＭＡＸなどの電気通信標準を用いて、伝送媒体を介して通信するように構成されうる。
【００３０】
さらに、（アクセスポイント１０４などの）１つ以上のアクセスポイントは、ネットワーク１００に通信可能に接続されうる。これらは、セルラネットワークのオフローディングをサポートし、そうでなければ図１に示される無線通信システムの一部として無線通信サービスを提供し、又はその両方であるように構成される、Ｗｉ−Ｆｉ（登録商標）アクセスポイントを含みうる。
【００３１】
したがって、基地局１０２Ａ及び（基地局１０２Ｂ〜１０２Ｎなどの）他の同様の基地局と、同一の又は異なる無線通信標準に従って動作する（アクセスポイント１０４などの）アクセスポイントとの少なくともいずれかは、１つ以上の無線通信標準を介して広い地理的領域にわたって、連続して又はほぼ連続して重複するサービスをＵＥ１０６Ａ〜Ｎ及び同様の機器へ提供し得る、複数のセルのネットワークとして提供されてもよい。
【００３２】
このように、基地局１０２Ａが図１に示すようにＵＥ１０６Ａ〜Ｎにとって「サービングセル」として動作し得る一方で、ＵＥ１０６のそれぞれは、（基地局１０２Ｂ〜Ｎと他の任意の基地局との少なくともいずれかによって提供される可能性がある）１つ以上の他のセルと、「隣接セル」又は（例えば必要に応じて）「隣接ＷＬＡＮ」、そしてより一般的に「隣接物」、の少なくともいずれかで呼ばれうる、無線ローカルエリアネットワーク（ＷＬＡＮ）との少なくともいずれかから（そして場合によってはその通信範囲内で）、信号を受信する能力を有し得る。このような隣接物は、ユーザ機器間と、ユーザ機器及びネットワーク１００間との少なくともいずれかにおける通信を促進する能力を有し得る。このような隣接物は、「マクロ」セル、「マイクロ」セル、「ピコ」セル、「フェムト」セル、ＷＬＡＮ、又は様々な他のサービスエリアの粒度のいずれかを提供するセルの少なくともいずれかを含みうる。例えば、図１に示された基地局１０２Ａ〜Ｂはマクロセルを提供するかもしれず、基地局１０２Ｎはマイクロセルを提供するかもしれず、アクセスポイント１０４はＷＬＡＮを提供するＷｉ−Ｆｉ（登録商標）のＡＰであるかもしれない。他の構成も可能である。
【００３３】
なお、ＵＥ１０６は、複数の無線通信標準を用いて通信することが可能でありうる。例えば、ＵＥ１０６は、ＧＳＭ（登録商標）、ＵＭＴＳ、ＣＤＭＡ２０００、ＷｉＭＡＸ、ＬＴＥ、ＬＴＥ−Ａ、ＷＬＡＮ、Ｂｌｕｅｔｏｏｔｈ（登録商標）、１つ以上のグローバルナビゲーション衛星システム（ＧＮＳＳ、例えばＧＰＳ又はＧＬＯＮＡＳＳ）、１つ以上の移動体テレビ放送標準（例えばＡＴＳＣ−Ｍ／Ｈ又はＤＶＢ−Ｈ）等のうちの少なくともいずれかを用いて通信するように構成されうる。（２つより多くの無線通信標準を含む）無線通信標準の他の組み合わせも可能である。
【００３４】
図２は、いくつかの実施形態により、基地局１０２（例えば基地局１０２Ａ〜１０２Ｎのうちの１つ）と通信するユーザ端末１０６（例えば、機器１０６Ａ〜１０６Ｎのうちの１つ）を示している。ＵＥ１０６は、携帯電話、ハンドヘルド機器、コンピュータ若しくはタブレット、又は実質的に任意の種類の無線機器などのセルラ通信能力を有する機器でありうる。
【００３５】
ＵＥ１０６は、メモリに記憶されたプログラム命令を実行するように構成されたプロセッサを含みうる。ＵＥ１０６は、このような記憶された命令を実行することにより、ここで説明される方法実施形態のいずれかを実行し得る。代わりに、又はさらに、ＵＥ１０６は、ここで説明される方法実施形態のいずれか又はここで説明される方法実施形態のいずれかの任意の部分を実行するように構成される、ＦＰＧＡ（フィールドプログラマブルゲートアレイ）などの、プログラム可能なハードウェア要素を含んでもよい。
【００３６】
いくつかの実施形態では、ＵＥ１０６は、複数の無線アクセス技術／無線通信プロトコルのいずれかを用いて通信するように構成されうる。例えば、ＵＥ１０６は、ＧＳＭ（登録商標）、ＵＭＴＳ、ＣＤＭＡ２０００、ＬＴＥ、ＬＴＥ−Ａ、ＷＬＡＮ／Ｗｉ−Ｆｉ（登録商標）又はＧＮＳＳのうちの２つ以上を用いて通信するように構成されうる。無線通信技術の他の組み合わせも可能である。
【００３７】
ＵＥ１０６は、１つ以上の無線通信プロトコル又は技術を用いて通信するための１つ以上のアンテナを含みうる。１つの実施形態では、ＵＥ１０６は、単一の共有された無線器を用いるＣＤＭＡ２０００（１ｘＲＴＴ／１ｘＥＶ−ＤＯ／ＨＲＰＤ／ｅＨＲＰＤ）又はＬＴＥと、単一の共有された無線器を用いるＧＳＭ（登録商標）又はＬＴＥとの少なくともいずれかを用いて通信するように構成されうる。共有される無線器は、単一のアンテナに接続されてもよいし、無線通信を実行するための（例えばＭＩＭＯのための）複数のアンテナに接続されてもよい。一般に、無線器は、ベースバンドプロセッサ、（例えばフィルタ、ミキサ、発振器、増幅器などを含む）アナログＲＦ処理回路、又は、（例えばデジタル変調及び他のデジタル処理のための）デジタル処理回路の任意の組み合わせを含みうる。同様に、無線器は、上述のハードウェアを用いる１つ以上の受信及び送信チェーンを実装し得る。例えば、ＵＥ１０６は、上述のものなどの複数の無線通信技術間での受信と送信との少なくともいずれかのチェーンのうちの１つ以上の部分を共有し得る。
【００３８】
いくつかの実施形態では、ＵＥ１０６は、それを用いて通信するように構成される無線通信プロトコルのそれぞれに対して、（例えば、別個のＲＦ要素とデジタル無線要素との少なくともいずれかを含む）送信と受信との少なくともいずれかの別個のチェーンを含みうる。さらなる可能性として、ＵＥ１０６は、複数の無線通信プロトコル間で共有される１つ以上の無線器と、単一の無線通信プロトコルによって排他的に使用される１つ以上の無線器とを含んでもよい。例えば、ＵＥ１０６は、ＬＴＥと１ｘＲＴＴとのいずれか（又はＬＴＥ若しくはＧＳＭ（登録商標））を用いて通信するための共有の無線器と、Ｗｉ−Ｆｉ（登録商標）及びＢｌｕｅｔｏｏｔｈ（登録商標）のそれぞれを用いて通信するための別個の無線器と、を含みうる。他の構成も可能である。
【００３９】
図３−ＵＥの例示のブロック図
図３は、いくつかの実施形態による、ＵＥ１０６の例示のブロック図を示している。図のように、ＵＥ１０６は、様々な目的のための部分を含みうる、システム・オン・チップ（ＳＯＣ）を含みうる。例えば、図のように、ＳＯＣ３００は、ＵＥ１０６のためのプログラム命令を実行しうるプロセッサ３０２と、グラフィック処理を実行し、ディスプレイ３６０へディスプレイ信号を供給しうる表示回路３０４とを含みうる。プロセッサ３０２は、プロセッサ３０２からアドレスを受け取り、メモリ（例えば、メモリ３０６、読み出し専用メモリ（ＲＯＭ）３５０、ＮＡＮＤフラッシュメモリ３１０）におけるロケーションへと変換するように構成されうるメモリ管理部（ＭＭＵ）３４０へ、又は、表示回路３０４、無線通信回路３３０、コネクタＩ／Ｆ３２０、若しくはディスプレイ３６０の少なくともいずれかなどの他の回路又は機器へ、接続されてもよい。ＭＭＵ３４０は、メモリ保護及びページテーブル変換又は設定を実行するように構成されうる。いくつかの実施形態では、ＭＭＵ３４０は、プロセッサ３０２の一部として含まれうる。
【００４０】
図のように、ＳＯＣ３００は、ＵＥ１０６の様々な他の回路に接続されうる。例えば、ＵＥ１０６は、（例えばＮＡＮＤフラッシュ３１０を含む）様々な種類のメモリ、（例えば、コンピュータシステム、ドック、チャージングステーションなどに接続するための）コネクタインタフェース３２０、ディスプレイ３６０、及び、（例えばＬＴＥ、Ｗｉ−Ｆｉ（登録商標）、ＧＰＳのための）無線通信回路（例えば無線器）３３０を含みうる。
【００４１】
ＵＥ機器１０６は、基地局と他の機器との少なくともいずれかと無線通信を実行するための少なくとも１つのアンテナ、そしていくつかの実施形態では複数のアンテナを含みうる。例えば、ＵＥ機器１０６は、無線通信を実行するためのアンテナ３３５を使用し得る。上で述べたように、ＵＥ１０６は、いくつかの実施形態において、複数の無線通信標準を用いて無線で通信するように構成されうる。
【００４２】
ここで後にさらに述べるように、ＵＥ１０６は、ここで説明される方法の一部または全部を実装するためのハードウェア及びソフトウェア要素を含んでもよい。ＵＥ機器１０６のプロセッサ３０２は、例えば、メモリ媒体（例えば、非一時的コンピュータ可読メモリ媒体）に記憶されたプログラム命令を実行することにより、ここで説明される方法の一部または全部を実行するように構成されうる。他の実施形態では、プロセッサ３０２は、ＦＰＧＡ（フィールドプログラマブルゲートアレイ）、又はＡＳＩＣ（特定用途向け集積回路）などのプログラム可能なハードウェアとして構成されてもよい。代わりに（又は加えて）、ＵＥ機器１０６のプロセッサ３０２は、他の要素３００、３０４、３０６、３１０、３２０、３３０、３３５、３４０、３５０、３６０のうちの１つ以上と併せて、ここで説明される特徴の一部または全部を実装するように構成されうる。
【００４３】
図４−基地局の例示のブロック図
図４は、いくつかの実施形態による、基地局１０２の例示のブロック図を示している。なお、図４の基地局は、単なる可能性のある基地局の一例である。図のように、基地局１０２は、基地局１０２のためのプログラム命令を実行し得るプロセッサ４０４を含んでもよい。プロセッサ４０４は、プロセッサ４０４からアドレスを受け取り、それらのアドレスを（例えば、メモリ４６０及び読み出し専用メモリ（ＲＯＭ）４５０）におけるロケーションへ変換するように構成されうるメモリ管理部（ＭＭＵ）４４０、又は他の回路若しくは機器に接続されてもよい。
【００４４】
基地局１０２は、少なくとも１つのネットワークポート４７０を含みうる。ネットワークポート４７０は、図１及び２に示されるように、電話ネットワークに接続し、ＵＥ機器１０６などの複数の機器に、その電話ネットワークへのアクセスを提供するように構成されうる。
【００４５】
ネットワークポート４７０（又は追加のネットワークノード）は、同様に又は代わりに、セルラネットワークに、例えば、セルラサービスプロバイダのコアネットワークに、接続するように構成されうる。コアネットワークは、ＵＥ機器１０６などの複数の機器に、モビリティ関連のサービスと他のサービスとの少なくともいずれかを提供し得る。いくつかの場合、ネットワークポート４７０は、コアネットワークを介して電話ネットワークに接続してもよく、又は、コアネットワークは（例えば、セルラサービスプロバイダによってサービスを提供されているＵＥ機器間での）電話ネットワークを提供してもよく、又はその両方であってもよい。
【００４６】
基地局１０２は、少なくとも１つのアンテナ４３４を、そして場合によっては複数のアンテナを含んでもよい。アンテナ４３４は、無線送受信器として動作するように構成され、さらに、無線器４３０を介して、ＵＥ機器１０６と通信するように構成されうる。アンテナ４３４は、通信チェーン４３２を介して無線通信回路４３０と交信する。通信チェーン４３２は、受信チェーン、送信チェーン又はその両方でありうる。無線器４３０は、ＬＴＥ、ＬＴＥ−Ａ、ＵＭＴＳ、ＣＤＭＡ２０００、Ｗｉ−Ｆｉ（登録商標）等を含むがそれに限定されない、様々な無線電気通信標準を介して通信するように構成されうる。
【００４７】
ＢＳ１０２は、複数の無線通信標準を用いて無線で通信するように構成されうる。いくつかの例では、基地局１０２は、基地局１０２が複数の無線通信技術に従って通信することを可能とし得る、複数の無線器を含んでもよい。例えば、１つの可能性として、基地局１０２は、ＬＴＥに従って通信するためのＬＴＥ無線器及びＷｉ−Ｆｉ（登録商標）に従って通信するためのＷｉ−Ｆｉ（登録商標）無線機を含みうる。そのような場合では、基地局１０２は、ＬＴＥ基地局およびＷｉ−Ｆｉ（登録商標）アクセスポイントのいずれか又は両方として動作可能でありうる。別の可能性として、基地局１０２は、複数の無線通信技術（例えばＬＴＥ及びＷｉ−Ｆｉ（登録商標））のいずれかに従って通信を実行することが可能な複数モードの無線器を含みうる。
【００４８】
ＢＳ１０２は、ここで説明される方法の一部または全部を実装するためのハードウェア及びソフトウェア要素を含みうる。基地局１０２のプロセッサ４０４は、例えば、メモリ媒体（例えば、非一時的コンピュータ可読メモリ媒体）に記憶されたプログラム命令を実行することにより、ここで説明される方法の一部または全部を実行するように構成されうる。代わりに、プロセッサ４０４は、ＦＰＧＡ（フィールドプログラマブルゲートアレイ）若しくはＡＳＩＣ（特定用途向け集積回路）又はそれらの組み合わせなどの、プログラム可能なハードウェア要素として構成されてもよい。代わりに（又は追加的に）、ＢＳ１０２のプロセッサ４０４は、他の要素４３０、４３２、４３４、４４０、４５０、４６０、４７０の１つ以上と併せて、ここで説明される特徴の一部または全部を実装するように構成されてもよい。
【００４９】
図５−フローチャート
図５は、いくつかの実施形態による、セル測定を実行するための方法を示すフローチャート図である。本方法は、干渉によって引き起こされる可能性があると共に、セル強度が過大評価される原因となり得る、不正確性を抑圧し得る。したがって、本方法は、少なくともいくつかの例において、特に、非ライセンス周波数帯域におけるチャネルなど、干渉が当然に予期されうるチャネルにおける使用に適し得る。本方法は、要求に応じて、他のアプリケーションにおいて（例えば、少なくともいくつかの例において干渉が厳密に制御され、従って制限されうるライセンス周波数帯域において）用いられてもよい。図５の方法の態様は、無線ユーザ端末（ＵＥ）機器、又は、より一般的には、要求に応じて、他の装置のうちの上図に示されたコンピュータシステム又は機器のいずれかと併せて、実行されうる。
【００５０】
様々な実施形態では、示される方法の要素のいくつかは、同時に、示されているのと異なる順序で、実行され、又は省略されてもよい。要求に応じて、追加の要素が実行されてもよい。図のように、本方法は、以下のように実行されうる。
【００５１】
５０２において、セルに対して参照シンボルベクトルが定められうる。参照シンボルベクトルの個別の要素のそれぞれは、個別の参照シンボル（例えば、セル固有参照シンボル）を運ぶ、セルの個別のサブキャリアを含み、又は表し得る。いくつかの例において、そのセルは、非ライセンス周波数帯域におけるチャネル上のものでありうる。
【００５２】
要求される場合、参照シンボルベクトルの要素は、複数の異なるＯＦＤＭシンボルからのサブキャリアを含みうる。例えば、例示のＬＴＥシステムでは、参照シンボルは、各スロットの最初のＯＦＤＭシンボル（シンボル０）のサブキャリア０及び６において、及び、各スロットの５番目のＯＦＤＭシンボル（シンボル４）のサブキャリア３及び９において、検出されうる。この場合、ＯＦＤＭシンボル０及び４の両方のサブキャリアを運ぶ参照シンボルを含めることによって、例えばＯＦＤＭシンボル１からサブキャリア０及び６のみが参照シンボルベクトルで使用されるシナリオと比べて、周波数選択性の潜在的な影響が低減されうる。
【００５３】
５０４において、チャネル推定が、参照シンボルベクトルの個別の要素のそれぞれに置いて実行されうる。これは、個別の要素のそれぞれに対して、その要素の個別のサブキャリアにおいて受信された信号に、個別のサブキャリアで運ばれた個別の参照シンボルの共役を乗じることを含みうる。
【００５４】
５０６において、そのセルのセル強度が第１の方法で計算されうる。特定の例のように、セル強度計算は、ＬＴＥ通信システムにおける参照信号受信電力（ＲＳＲＰ）の計算でありうる。別のセル強度計算も可能である。
【００５５】
セル強度計算の第１の方法は、参照シンボルベクトルの異なる要素のチャネル推定値の相互相関を取ることを含みうる。このような相互相関は、セル強度計算における干渉及び雑音の影響を大幅に低減（キャンセル）し得る。適用可能であると共に要求される場合、パスごとの（例えば、送信及び受信アンテナの数に基づいて）セル強度の部分計算が実行され、（要求に応じて重み付けされた方法又は線形の方法で）合成されて、平均化されたセル強度推定値を導出し得る。さらに、又は代わりに、要求される場合、時間領域における長期的な平均化が実行されてもよい。このような場合、様々な可能性の中から指数又は線形ウィンドウが使用されうる。少なくともいくつかの例では、例えば、指数ウィンドウが、Ｗｉ−Ｆｉ（登録商標）干渉の指数的バースト特性を少なくとも部分的に平滑化しうる。
【００５６】
少なくともいくつかの例において、（例えば様々な可能なセル測定の中から）計算されたセル強度が基地局へ報告されうる。例えば、ＵＥは、図５の方法を介して取得されたセル強度測定値を含むセル測定報告を、ＵＥのサービング基地局へ、時折（例えば周期的に又は要求に応じて）送信しうる。セル測定は、リンクアダプテーション、セル再選択、ハンドオーバなどの様々の目的のいずれかのために使用されうる。
【００５７】
いくつかの実施形態では、ＵＥは、第２の方法で、セルのセル強度を計算してもよい。例えば、そのセルの参照シンボルサブキャリアは、セル強度計算の第２の方法に従って、自己相関が取られてもよい。干渉がない場合、これは、セル強度計算の第１の方法と同様の結果を提供することができ、干渉が存在する場合、これは、セル強度計算の第１の方法より高い推定セル強度をもたらすことができ、その差は、そのセルに存在する干渉の表現でありうる。
【００５８】
このような実施形態において、ＵＥは、第２の方法で計算されたセル強度を基地局へ報告し得る。２つの計算されたセル強度値は、様々な方法のいずれかで提供されうる。例えば、計算されたセル強度値のそれぞれは、絶対値として（すなわち、相互に関係なく）、１つの可能性として、提供されてもよく、又は、１つの計算されたセル強度値が提供されてもよく、さらに、別の可能性として、計算されたセル強度値間の差が、他の計算されたセル強度値の表示として提供されてもよい。
【００５９】
なお、必要に応じて、図５の方法の一部または全部が繰り返されてもよい。例えば、ＵＥは、ＵＥが特定の時刻においてセル測定を実行することが課される測定設定において、複数のセルのそれぞれに対して図５の方法を繰り返し（又は同時に実行し）てもよい。別の（選択肢の又は追加の）可能性として、ＵＥは、例えば特定のセルに対する現在又は少し前のセル強度推定値を継続的に維持するために、図５の方法を、臨時の（例えば周期的の）一時的に、繰り返してもよい。さらに、少なくともいくつかの例では、このようなセルに対する以前のセル強度推定が、ここで先に説明されるような時間領域の平均化技術の一部として用いられうる。
【００６０】
図６〜８−追加情報
図６〜８及びそこで併せて提供されるここで以下に提供される情報は、図５の方法と本開示の他の態様との少なくともいずれかが実装されうる可能なシステムに関する様々な検討及び詳細の例を用いて提供され、全体として本開示に限定することは意図されていない。ここで以下に提供される詳細への多数の変形及び選択肢が可能であり、本開示の範囲内であると見なされるべきである。
【００６１】
３ＧＰＰのセルラネットワークでは、トラフィックの増大は、多くの都市のマーケットにおけるＬＴＥシステムに現在利用可能なライセンス周波数を用いて、対処することが困難でありうる。５ＧＨｚ及び他のライセンスフリーな帯域は、それらのサービスの提供を増補する、可能性のある追加の周波数に相当する。少なくともいくつかの例では、非ライセンス周波数はライセンス周波数の品質と整合しないかもしれない。例えばライセンスされた展開を補うものとしての、非ライセンス周波数の効果的な使用を可能とするソリューションは、価値がありうる。１つの可能性として、ＬＴＥのＲＡＴが、非ライセンス展開に展開されうる。５ＧＨｚ及び他のライセンスのない帯域は、ライセンス帯域の通信を補うキャリアアグリゲーションとして、又はスタンドアローンのＬＴＥ展開として、ＬＴＥを展開するのに用いられうる。
【００６２】
ＬＴＥ通信の１つの態様は、ＬＴＥ測定の活用である。ＬＴＥ測定は、セル固有信号強度メトリックを提供し得る。いくつかの実施形態によれば、これらの測定は、それらの信号強度に従って、例えば、ハンドオーバおよびセル再選択の決定のために、異なるＬＴＥ候補セルをランク付けるのに用いられうる。１つの例として、ＲＳＲＰは、所定の周波数帯域内でセル固有参照信号を運ぶリソースエレメントを介して、平均受信電力を測定するのに用いられうる。別の例として、参照信号受信品質（ＲＳＲＱ）は、受信参照信号の品質を示す、搬送波対干渉（Ｃ／Ｉ）タイプの測定値でありうる。少なくともいくつかの実施形態では、追加の情報を提供するために、ＲＳＲＰ信頼できるハンドオーバ又はセル再選択の決定をするために不十分なときに、ＲＳＲＱ測定が用いられてもよい。ＲＳＲＱは、３ＧＰＰ規格の（少なくともいくつかのバージョン）によって、
0005960315.tif 000002
のように定められてもよく、ここで、ＲＳＳＩは受信信号強度インジケータであり、Ｎは測定が実行されるリソースブロックの数である。
【００６３】
図６は、１つの可能なＲＳＲＰ測定技術に従う、例示のＲＳＲＰ測定要素を示すブロック図である。図のように、時間領域に置いて受信される同相（Ｉ）及び直交（Ｑ）信号は、高速フーリエ変換（ＦＦＴ）ブロックに供給されうる。周波数領域における最小二乗（ＬＳ）チャネル推定を実行するために、各参照シンボルに対するパイロットトーン（参照シンボルを運ぶサブキャリア）が、各パイロットトーンのための適切な参照シンボルと併せて、用いられうる。有限インパルス応答（ＦＩＲ）フィルタが適用されてもよく、その結果はＲＳＲＰ測定値を生成するために平均化される。
【００６４】
図７は、いくつかの実施形態による、無線機器フロントエンドにおける例示の可能なＲＦ測定ブロックを示すブロック図である。図のように、信号が、無線機器の各アンテナで受信され、個別のＲＦフロントエンドブロックへ供給されうる。信号は、ＲＳＲＰ／ＲＳＲＱ測定と、周波数追従ループ（ＦＴＬ）及び参照シンボル（ＲＳ）信号対干渉及び雑音比（ＳＩＮＲ）推定とへの移行を伴って、そこからシンボル復調器へ供給されうる。信号は、信号復調器から、ポスト検出ＳＩＮＲ推定への移行を伴って、復号器へ供給されうる。復号されたデータは、その後、さらなる処理のために高次レイヤへ供給されうる。
【００６５】
先に述べたように、非ライセンス周波数帯域におけるＬＴＥ展開（「ＬＴＥ−Ｕ」）は、それらのサービス提供を改善するためのキャリアの有用のオプションでありうる。このようなシステムの１つの可能な実装として、ネットワークは、ライセンス帯域におけるプライマリキャリア（ＰＣｅｌｌ）と非ライセンス帯域におけるセカンダリキャリア（ＳＣｅｌｌ）を構成し得る。（例えば、プライマリキャリアを用いて伝達されるスケジューリングによって）セカンダリキャリアがデータを伝達するのに用いられうる一方で、プライマリキャリアは、通信をスケジューリングしてデータを伝達するのに用いられうる。このような場合、セカンダリキャリアは、ＷＬＡＮとネットワークがコントロールしえない他の通信との少なくともいずれかと共存し得る。
【００６６】
ＬＴＥ−Ｕ及びＷｉ−Ｆｉ（登録商標）が同一の周波数範囲で動作している場合、様々な技術によって、技術間での効果的な共存を可能とすることができるかもしれない。しかしながら、ＬＴＥ−Ｕ機器が他の（隣接）周波数において周波数間測定を実行する時、その機器は、これらの周波数に干渉がないか否かを判定することができないかもしれない。このような条件では、大きい干渉の可能性を考慮しない測定は、ＬＴＥ−Ｕ空間において移動性動作が予測されないことを惹起し得る。
【００６７】
したがって、改善されたＲＳＲＰ測定アルゴリズムが、非ライセンス展開におけるものなど、干渉が存在し得るシナリオに対して提供されうる。その方法は、（例えば図６に示されるＦＩＲフィルタがバイパスされうる）別のＲＳＲＰ測定技術と同じ方法でのチャネル推定を用いなくてもよい。これは、干渉がある場合の精度を改善し得る。
【００６８】
さらに、フェージングチャネルの周波数選択性からの任意の劣化を解消するために、シンボル０及びシンボル４からの受信参照シンボル（ＲＳ）が、１つのベクトルにおいて合成されうる。このような場合に、計算は、周波数選択性の影響を低減し得る、（例えば、６サブキャリアごとでなく）３個ごとのサブキャリアからのＲＥを含みうる。
【００６９】
（例えばＷｉ−Ｆｉ（登録商標）が存在し得る非ライセンス帯域のチャネルにおけるように）干渉及び高い雑音の場合に、この方法は、例えば少なくともいくつかの先に使用されたＲＳＲＰ測定技術に関して、雑音＋干渉の６ｄＢ以上の排除を改善し得る。
【００７０】
さらに、例えば、時間領域の変動を低減するために、時間領域における長期間（例えば１００〜２００ｍｓ又は他の時間長）の平均化が用いられてもよい。さらに、例えば、Ｗｉ−Ｆｉ（登録商標）インタフェースの指数的バースト特定を平滑化するために、指数時間ウィンドウが用いられてもよい。
【００７１】
とり得る改善されたＲＳＲＰ測定技術のより詳細な例として以下を与える。なお、以下で与える例の変形及び選択肢も可能である。
【００７２】
第１のステップとして、サブキャリアｋにおいて、そして、送信アンテナｍ及び受信アンテナｌからのチャネルは、Ｙが受信信号であり、Ｒがサブキャリアｋにおける参照シンボルである場合に、
0005960315.tif 000003
のように推定されうる。
【００７３】
そして、ＲＳＲＰは、（ｎがＯＦＤＭシンボルインデクスでありｉがセルＩＤであるときに、）
0005960315.tif 000004
0005960315.tif 000005
0005960315.tif 000006
のように計算されうる。
【００７４】
このように、参照シンボルベクトルを形成するパイロットトーンにおけるチャネル推定値はクロスされてもよく、それは（例えば、いくつかのＲＳＲＰ計算で実行されうるように）各参照シンボルの自己相関が代わりに実行される場合にキャンセルされうる各参照シンボルにおけるＷｉ−Ｆｉ（登録商標）（又は他の）干渉をキャンセルする働きをしうる。なお、合成関数は、（例えばパス／アンテナごとの信号強度に基づく）加重平均又は単純な線形平均でありうる。
【００７５】
いくつかの例では、複数の方法でＲＳＲＰを計算し、ネットワークにそれらの結果の差を報告することがさらに望ましいかもしれない。例えば、上の例で計算されたＲＳＲＰと各参照シンボルとそれ自身との相関を取ることによって計算されたＲＳＲＰとの差が、測定値報告におけるバイアスとして報告されうる。異なるアルゴリズムで計算されたＲＳＲＰ間の差は、そのセルに存在する干渉の量の実質的な表現でありうるため、これは、展開を改善するためのネットワークに対する有用なメトリックでありうる。代わりに、ＲＳＲＰは、上述の方法で計算され、別のＲＳＲＰを計算する方法に関係なくネットワークに報告されうる。
【００７６】
図８は、いくつかの実施形態による、非ライセンス周波数帯域において実行されるときの、ＲＳＲＰ及びＲＳＲＱなどの様々な物理層のセル測定の概念的要素を示している。図のように、ＰS８１０は、サービングセル（又は、より一般的には、測定されているセル）によって供給される参照シンボルの電力を表し得る。ＰD８２０は、サービングセル（又は、より一般的には、測定されているセル）によって供給されるデータシンボルの電力を表し得る。ＰI８３０は、隣接セル（例えば他のＬＴＥ−ＵセルとＷｉ−Ｆｉ（登録商標）ネットワークとの少なくともいずれか）からの干渉を表し得る。
【００７７】
参照シンボルをそれ自身と相関させることによって、他のＬＴＥセルによって実行されうる直交伝送に起因する干渉がキャンセルされうる一方で、Ｗｉ−Ｆｉ（登録商標）信号は、そのような計算によっては抑圧されないかもしれない。したがって、そのような方法でＲＳＲＰを計算することによって、抑圧されない干渉がＰS８１０の一部として推定されうるため、不正確に高いＲＳＲＰ値（及びＲＳＲＱ値）が結果として得られうる。これは、ＲＳＲＰを計算するのに相互相関ではなく自己相関を用いる際のＲＳＲＰ測定において抑圧されない干渉の割合をαが表す場合に、
0005960315.tif 000007
のように表されうる。
【００７８】
以下では、更なる例示の実施形態を与える。
【００７９】
一連の実施形態では、セル測定を実行する方法であって、セルに対する参照シンボルベクトルであって、その参照シンボルベクトルの個別の要素のそれぞれが個別の参照シンボルを運ぶセルの個別のサブキャリアを構成する、参照シンボルベクトルを定めることと、参照シンボルベクトルの個別の要素のそれぞれにおけるチャネルを推定することと、参照シンボルベクトルの異なる要素のチャネル推定値の相互相関を取ることによって、セルのセル強度を計算することと、を有する方法が含まれうる。
【００８０】
いくつかの実施形態によれば、参照シンボルベクトルの個別の要素におけるチャネルの推定は、要素の個別のサブキャリアにおいて受信される信号に個別のサブキャリアによって運ばれる個別の参照シンボルの共役を乗じることを含む。
【００８１】
いくつかの実施形態では、参照シンボルベクトルは、セルのサブフレームの複数のＯＦＤＭシンボルに含まれるサブキャリアに対応する要素を含む。
【００８２】
いくつかの実施形態によれば、セルは、非ライセンス周波数帯域におけるチャネル上のものである。
【００８３】
追加の例示の実施形態は、無線器とその無線器と動作可能に接続された処理要素とを含む無線ユーザ端末（ＵＥ）機器を含んでもよく、ＵＥは、先立つ例のいずれかの方法のうちのいずれかの部分又は全部を実行するように構成される。
【００８４】
さらなる例示の一連の実施形態は、機器において実行されるときに先立つ例のいずれかの方法のいずれかの部分又は全部をその機器に実行させるプログラム命令を有する非一時的なコンピュータがアクセス可能なメモリ媒体を、含みうる。
【００８５】
またさらなる例示の一連の実施形態は、先立つ例のいずれかの方法のいずれかの部分又は全部を実行するための命令を有するコンピュータプログラムを含みうる。
【００８６】
また別の例示の一連の実施形態は、先立つ例のいずれかの方法の要素のいずれか又は全てを実行するための手段を有する装置を含みうる。
【００８７】
本開示の実施形態は、様々な形式のいずれかで実現されうる。例えば、いくつかの実施形態は、コンピュータ実装される方法、コンピュータ可読メモリ媒体、コンピュータシステムとして実現されうる。他の実施形態は、ＡＳＩＣなどの１つ以上のカスタムデザインされたハードウェア機器を用いて実現されうる。また別の実施形態は、ＦＰＧＡなどの１つ以上のプログラム可能なハードウェア要素を用いて実現されうる。
【００８８】
いくつかの実施形態では、非一時的コンピュータ可読メモリ媒体は、プログラム命令とデータとの少なくともいずれかを記憶するように構成されてもよく、そのプログラム命令は、コンピュータシステムによって実行される場合に、そのコンピュータシステムに、方法、例えばここで説明される方法のいずれか若しくはここで説明される方法実施形態の任意の組み合わせ、又は、ここで説明される方法実施形態のいずれかのうちの任意の部分集合若しくはそのような部分集合の任意の組み合わせ、を実行させる。
【００８９】
いくつかの実施形態では、機器（例えばＵＥ１０６）は、プロセッサ（又は一連のプロセッサ）及びメモリ媒体を含むように構成されてもよく、ここで、メモリ媒体はプログラム命令を記憶し、プロセッサは、メモリ媒体からそのプログラム命令を読み出して実行し、プログラム命令は、ここで説明される様々な方法実施形態のいずれか（若しくはここで説明される方法実施形態の任意の組み合わせ、又はここで説明される方法実施形態のいずれかの任意の部分集合若しくはそのような部分集合の任意の組み合わせ）を実行するように実行可能である。機器は、様々な形態のいずれかで実現されうる。
【００９０】
上の実施形態について十分に詳細に説明したが、当業者には、上の開示が完全に理解されたときには、様々な変形及び変更が明らかとなるだろう。以下の請求項はこのような変形及び変更の全てを包含するように解釈されるべきことが意図されている。
【図１】
0005960315.tif 000008
【図２】
0005960315.tif 000009
【図３】
0005960315.tif 000010
【図４】
0005960315.tif 000011
【図５】
0005960315.tif 000012
【図６】
0005960315.tif 000013
【図７】
0005960315.tif 000014
【図８】
0005960315.tif 000015